(57)【要約】【課題】吸込口パネルを容易に着脱することができるとともに、製造コストの低減を図ることのできる冷凍ショーケースを提供する。【解決手段】吸込口パネル４０の下端側をショーケース本体１０側に係合するとともに、各開度規制部材４２をショーケース本体１０側に係合するようにしたので、従来のように工具を必要とすることなくショーケース本体１０に吸込口パネル４０を着脱することができ、吸込口パネル４０の清掃や交換を容易に行うことができる。【選択図】図５
2006078023.tif 000002
【特許請求の範囲】
【請求項１】
ショーケース本体の下部に設けられた機械室と、機械室内に設けられた凝縮器と、凝縮器に空気を流通させる凝縮器用送風機と、機械室内に外部の空気を流入させる通気孔が設けられた吸込口パネルと、吸込口パネルと凝縮器の空気吸入側との間に設けられたフィルタとを備え、吸込口パネルの下端側をショーケース本体に回動自在に支持するとともに、吸込口パネルの回動を開度規制部材によって所定角度に規制することにより、吸込口パネルを開閉するようにしたショーケースにおいて、
前記吸込口パネルの下端側をショーケース本体側に着脱自在に係合するとともに、開度規制部材を吸込口パネルに設けてショーケース本体側に着脱自在に係合した
ことを特徴とするショーケース。
【請求項２】
前記開度規制部材を吸込口パネルの上端から後方に延びる可撓性の板状部材によって形成するとともに、開度規制部材の後端側にショーケース本体側に係合する係合部を設け、
係合部を開度規制部材を所定方向に撓ませることによりショーケース本体側との係合を解除可能に形成した
ことを特徴とする請求項１記載のショーケース。
【請求項３】
前記係合部を開度規制部材の後端側を屈曲することにより形成した
ことを特徴とする請求項２記載のショーケース。
【請求項４】
前記ショーケース本体側に吸込口パネルを支持するパネル支持部材を設け、
パネル支持部材をショーケース本体から前方に延びるように形成するとともに、パネル支持部材の前端側に上方に屈曲する屈曲部を設け、
吸込口パネルの下端側には屈曲部を係合することにより吸込口パネルをショーケース本体に対して前後方向に回動自在に支持する支持孔を設けた
ことを特徴とする請求項１記載のショーケース。
【発明の詳細な説明】
【技術分野】
【０００１】
本発明は、スーパーマーケットやコンビニエンスストア等の店舗に設置される冷凍または冷蔵の商品を収納するショーケースに関するものである。
【背景技術】
【０００２】
従来、この種のショーケースとしては、ショーケース本体の下部に設けられた機械室と、機械室内に設けられた凝縮器と、凝縮器に空気を流通させる凝縮器用送風機と、ショーケース本体に下端側を回動自在に支持され、店舗内の空気を機械室内に流入させる吸込口パネルと、吸込口パネルの上端側の幅方向一端側または両端側に設けられ、吸込口パネルの回動を規制する開度規制部材と、吸込口パネルに着脱自在に設けられたフィルタとを備え、吸込口パネルを開放してフィルタを取り外し、フィルタに付着した塵埃を取り除くようにしたものが知られている（例えば、特許文献１参照）。
【特許文献１】特開平７−３５４６２号公報
【発明の開示】
【発明が解決しようとする課題】
【０００３】
しかしながら、前記ショーケースでは、吸込パネルの下端側がヒンジ等によって回動自在に支持されるとともに、開度規制部材がビス止め等によってショーケース本体及び吸込パネルに取付けられているため、吸込口パネルの表面に塵埃が付着したり、或いは商品の搬入または搬出の際に台車等が吸込口パネルに衝突して変形した場合など、吸込パネルの清掃または交換の必要が生じた際に、工具を用いなければ吸込口パネルを取外すことができず、吸込口パネルの着脱作業が煩雑になるという問題点があった。また、従来の開度規制部材はアーム状の部材をピンに摺動自在に係合した複雑な構造であるため、製造コストが高くなるという問題点があった。
【０００４】
本発明は前記問題点に鑑みてなされたものであり、その目的とするところは、吸込口パネルを容易に着脱することができるとともに、製造コストの低減を図ることのできるショーケースを提供することにある。
【課題を解決するための手段】
【０００５】
本発明は前記目的を達成するために、ショーケース本体の下部に設けられた機械室と、機械室内に設けられた凝縮器と、凝縮器に空気を流通させる凝縮器用送風機と、機械室内に外部の空気を流入させる通気孔が設けられた吸込口パネルと、吸込口パネルと凝縮器の空気吸入側との間に設けられたフィルタとを備え、吸込口パネルの下端側をショーケース本体に回動自在に支持するとともに、吸込口パネルの回動を開度規制部材によって所定角度に規制することにより、吸込口パネルを開閉するようにしたショーケースにおいて、前記吸込口パネルの下端側をショーケース本体側に着脱自在に係合するとともに、開度規制部材を吸込口パネルに設けてショーケース本体側に着脱自在に係合している。
【０００６】
これにより、吸込口パネルの下端側及び開度規制部材がショーケース本体側に着脱自在に係合することから、工具を必要とすることなく吸込口パネルがショーケース本体側から着脱される。
【発明の効果】
【０００７】
本発明によれば、工具を必要とすることなく吸込口パネルを着脱することができるので、吸込口パネルの清掃や交換を極めて容易に行うことができる。
【発明を実施するための最良の形態】
【０００８】
図１乃至図１３は本発明の一実施形態を示すもので、図１はショーケースの斜視図、図２はショーケースの側面断面図、図３はショーケースの要部斜視図、図４は吸込口パネルを開放した状態を示すショーケースの要部斜視図、図５は吸込口パネルを取り外した状態を示すショーケースの要部斜視図、図６は吸込口パネルの斜視図、図７は開度規制部材の斜視図、図８はパネル支持部材の斜視図、図９はショーケースの要部側面断面図、図１０は吸込口パネルを開放した状態を示すショーケースの要部側面断面図、図１１はショーケースの要部平面断面図、図１２は吸込口パネルを開放した状態を示すショーケースの要部平面断面図、図１３は吸込口パネルを取り外す動作を示すショーケースの要部平面断面図である。
【０００９】
このショーケースは、上面を開口したショーケース本体１０内に設けられた商品収納庫２０と、ショーケース本体１０の下部に設けられた機械室３０と、機械室３０の前面を開閉する吸込口パネル４０とから構成されている。
【００１０】
商品収納庫２０は、前面側、左右両側面側、背面側及び底面側を断熱壁２１によって形成され、その内部を仕切ることにより前面側、底面側及び背面側に沿って通風路２２が形成されている。また、前面側に位置する通風路２２の上端には空気吸込口２２ａが背面側に向かって設けられるとともに、背面側に位置する通風路２２の上端には空気吐出口２２ｂが前面側に向かって設けられている。更に、底面側に位置する通風路２２内には蒸発器２３が通風路２２の幅方向に亘って設けられ、その前面側に通風路２２の空気を流通させる蒸発器用送風機２４が設けられている。
【００１１】
機械室３０内には、蒸発器２３に接続された冷凍機器としての圧縮機３１及び凝縮器３２が設けられ、凝縮器３２には機械室３０外の空気を機械室３０内に流通させ、その空気と凝縮器３２を流通する冷媒とを熱交換させる凝縮器用送風機３３が設けられている。また、凝縮器３２の空気吸入側の幅方向両端側には冷媒と熱交換した空気が空気流入側に流通することを防止する遮蔽板３２ａがそれぞれ設けられている。
【００１２】
吸込口パネル４０は、ショーケース本体１０の前面側の下部に設けられたパネル本体４１と、パネル本体４１の回動を所定角度に規制する幅方向一対の開度規制部材４２と、パネル本体４１を下方から支持する幅方向一対のパネル支持部材４３と、吸込口パネル４０の閉鎖した状態を保持する幅方向一対のパネル閉鎖部材４４とを備えている。
【００１３】
パネル本体４１は、略四角形状の金属板の外縁部を背面側に屈曲することにより形成され、凝縮器３２の空気吸入側となる前面側に位置するようになっている。また、パネル本体４１には金属板を背面側に切り起こすことにより複数の通気孔４１ａが設けられ、通気孔４１ａから機械室３０内に空気を流通させるようになっている。パネル本体４１の上部前面側には幅方向一対の取手部４１ｂが設けられ、取手部４１ｂによってパネル本体４１を開閉させるようになっている。また、パネル本体４１下面の幅方向両端側には幅方向に延びる支持孔４１ｃが設けられ、後述するパネル支持部材４３の屈曲部が挿通されて支持されるようになっている。更に、パネル本体４１の背面側には機械室３０内に流入する空気中から塵埃を除去するフィルタ４１ｄが設けられ、フィルタ４１ｄを抜差可能に支持する幅方向一対のガイド部材４１ｅがパネル本体４１の幅方向両端側の上下方向に亘って設けられている。
【００１４】
各開度規制部材４２は前後方向に延びる可撓性の板状部材を屈曲することにより形成され、その前端側は各ガイド部材４１ｅに固定されている。また、各開度規制部材４２の後端側には幅方向内側に屈曲することにより係合部４２ａが設けられ、パネル本体４１を開放して係合部４２ａが遮蔽板３２ａの幅方向外側に係合することによりパネル本体４１の回動を所定角度に規制するようになっている。
【００１５】
各パネル支持部材４３は前後方向に延びる板状部材を屈曲することにより設けられ、その後端側は機械室３０の底面前端側に位置するショーケース本体１０に溶接等によって固定されている。また、パネル支持部材４３の前端側には端部を上方に向かって屈曲することにより幅方向に延びる屈曲部４３ａが形成され、屈曲部４３ａをパネル本体４１の支持孔４１ｃに挿通することによりパネル本体４１が下端側を軸に前後方向に回動するように支持されている。
【００１６】
各パネル閉鎖部材４４は遮蔽板３２ａの前面からパネル本体４１に向かって設けられ、その前端側に設けられた磁石４４ａによってパネル本体４１の背面側を吸着してパネル本体４１の閉鎖状態を保持するようになっている。
【００１７】
以上のように構成されたショーケースにおいて、フィルタ４１ｄを清掃する場合は、各取手部４１ｂに手を掛けてパネル本体４１の上端側を前方に引き出すことにより吸込口パネル４０を開放し、パネル本体４１の上面からフィルタ４１ｄを取り外すことが可能となる。このとき、パネル本体４１は下端側を軸にして前方に回動し、開度規制部材４２の係合部４２ａが遮蔽板３２ａと係合することによりパネル本体４１の開放する角度が所定角度以上にならないように規制されている。フィルタ４１ｄの清掃が終了した後、フィルタ４１ｄをガイド部材４１ｅに沿って上方から挿入してパネル本体４１を後方に回動させると、パネル本体４１はパネル閉鎖部材４４に吸着されて閉鎖状態が保持される。
【００１８】
また、吸込口パネル４０に汚れが付着した場合や破損によって吸込口パネル４０の交換が必要な場合には、各取手部４１ｂに手を掛けてパネル本体４１の上端側を前方に引き出すことにより吸込口パネル４０を開放した後、各開度規制部材４２をショーケースの幅方向外側に撓ませて遮蔽板３２ａとの係合を解除してパネル本体４１を前方に引き出す。この状態でパネル本体４１を上方に引き上げることにより、吸込口パネル４０を取り外すことが可能となる。また、吸込口パネル４０を取り付ける場合には、パネル本体４１の各支持孔４１ｃに各パネル支持部材４３の屈曲部４３ａを挿通し、開度規制部材４２をショーケースの幅方向外側に撓ませた状態でパネル本体４１を後方に回動させることによりショーケース本体１０に吸込口パネル４０を取り付けることが可能となる。
【００１９】
このように、本実施形態のショーケースによれば、吸込口パネル４０の下端側をショーケース本体１０側に係合するとともに、各開度規制部材４２をショーケース本体１０側に係合するようにしたので、従来のように工具を必要とすることなくショーケース本体１０に吸込口パネル４０を着脱することができ、吸込口パネル４０の清掃や交換を容易に行うことができる。
【００２０】
また、パネル本体４１の上端側から後方に延びる可撓性の板状部材によって開度規制部材４２を形成するとともに、開度規制部材４２の後端側に遮蔽板３２ａに係合する係合部４２ａを設け、係合部４２ａを開度規制部材４２をショーケース本体１０の幅方向外側に撓ませることにより係合部４２ａと遮蔽板３２ａとの係合を解除可能に形成したので、簡単な部材によって開度規制部材４２を構成することができ、製造コストの低減を図ることができる。
【００２１】
また、係合部を４２ａを開度規制部材４２の後端側を屈曲することにより形成したので、開度規制部材４２及び係合部４２ａを一体に形成することができ、部品点数の低減を図ることができる。
【００２２】
また、ショーケース本体１０から前方に延びるように形成したパネル支持部材４３の前端側に上方に屈曲する屈曲部４３ａを形成するとともに、屈曲部４３ａを係合することにより吸込口パネル４０をショーケース本体１０に対して前後方向に回動自在に支持する支持孔４１ｃをパネル本体４１の下面に設けたので、簡単な構造によってパネル本体４１をショーケース本体１０に回動自在に支持することができ、部品点数の低減及び製造コストの低減を図ることができる。
【００２３】
尚、前記実施形態では、冷凍機内蔵型の平型オープンショーケースの吸込口パネルを示したが、前面が開口されたオープンショーケースやリーチインショーケース等の冷凍機内蔵型の冷凍機器の吸込口パネルに適用してもよい。
【００２４】
また、前記実施形態では、パネル支持部材４３の前端側に上方屈曲する屈曲部４３ａを形成し、屈曲部４３ａを係合することにより吸込口パネル４０をショーケース本体１０に回動自在に支持する支持孔４１ｃをパネル本体４１の下面設けたものを示したが、パネル支持部材４３側に支持孔を設けるとともに、パネル本体４１側に支持孔に係合する突起部を設けて吸込口パネルをショーケース本体に回動自在に支持するようにしてもよい。
【００２５】
また、前記実施形態では、パネル閉鎖部材４４を前端側に設けられた磁石４４ａによってパネル本体４１を吸着して吸込口パネル４０の閉鎖状態を保持するようにしたものを示したが、ラッチ等の装置によって吸込口パネル４０の閉鎖状態を保持するようにしたものでもよい。
【図面の簡単な説明】
【００２６】
【図１】ショーケースの斜視図
【図２】ショーケースの側面断面図
【図３】ショーケースの要部斜視図
【図４】吸込口パネルを開放した状態を示すショーケースの要部斜視図
【図５】吸込口パネルを取外した状態を示すショーケースの要部斜視図
【図６】吸込口パネル斜視図
【図７】開度規制部材の斜視図
【図８】パネル支持部材の斜視図
【図９】ショーケースの要部側面断面図
【図１０】吸込口パネルを開放した状態を示すショーケースの要部側面断面図
【図１１】ショーケースの要部平面断面図
【図１２】吸込口パネルを開放した状態を示すショーケースの要部平面断面図
【図１３】吸込口パネルを取外す動作を示すショーケースの要部平面断面図
【符号の説明】
【００２７】
１０…ショーケース本体、３０…機械室、３１…圧縮機、３２…凝縮器、３３…凝縮器用送風機、４０…吸込口パネル、４１…パネル本体、４２…開度規制部材、４２ａ…係合部、４３…パネル支持部材、４３ａ…屈曲部。
【図１】
2006078023.tif 000003
【図２】
2006078023.tif 000004
【図３】
2006078023.tif 000005
【図４】
2006078023.tif 000006
【図５】
2006078023.tif 000007
【図６】
2006078023.tif 000008
【図７】
2006078023.tif 000009
【図８】
2006078023.tif 000010
【図９】
2006078023.tif 000011
【図１０】
2006078023.tif 000012
【図１１】
2006078023.tif 000013
【図１２】
2006078023.tif 000014
【図１３】
2006078023.tif 000015